(57)【特許請求の範囲】
【請求項１】
魚釣りに用いるルアーの製造方法であって、
左右から中央に向かって突出し所定の位置に錘を挟持可能な１対の挟持柱を有するルアー本体成型用金型に錘を挟持させる工程と、
前記金型に素材を注入してルアー本体をインサート成形する工程と、
前記インサート成型により製造されたルアー本体の前記挟持柱跡に挿入部材を挿入し固定する工程と
を含むルアーの製造方法。
【請求項２】
前記ルアー本体は魚に似せて形成され、前記挟持柱は前記ルアー本体の目に該当する箇所に配置されている、請求項１に記載のルアーの製造方法。
【請求項３】
前記１対の挟持柱の先端面はそれぞれ凹凸部が形成されている、請求項１または２に記載のルアーの製造方法。
【請求項４】
前記錘に連結されたワイヤ部材をさらに有し、
前記ルアー本体成型用金型に錘を挟持させる工程は、前記ワイヤ部材の一部がルアー本体より外部にはみ出るようにワイヤ部材を配置する、請求項１〜３のいずれかに記載のルアーの製造方法。
【請求項５】
魚釣りに用いるルアーであって、
魚形状で目の付近に左右から中央に向かって形成された孔を有するルアー本体と、
前記孔から表面の一部が露出するように前記ルアー本体の頭部付近内部に埋め込まれた錘と、
前記孔に左右から挿入された１対の挿入部材と
を備えたルアー。
【発明の詳細な説明】
【０００１】
【発明の属する技術分野】
本発明は、魚釣りに用いるルアー及びその製造方法に関する。
【０００２】
【従来の技術】
従来のルアーは、合成樹脂等で魚に似せて形成され中空部を有するルアー本体と、ルアー本体頭部に設けられ釣糸を係止可能な係止部と、ルアー本体内部に配置された錘と、ルアー本体腹部および尾部に連結されたフックとを有している。このルアーは、中空部を形成した１対の半割り部材の所定の位置に錘を配置し、この１対の半割り部材を開口側で貼り合わせて製造されるものである。そして、釣糸係止部に釣糸を係止し、狙ったポイントにキャスティングして釣りを行う。
【０００３】
【発明が解決しようとする課題】
従来の１対の半割り部材を貼りあわせて製造したルアーでは、キャスティング時に投げる方向を誤ってルアーを障害物にぶつけてしまうと、貼りあわせ面から割れて壊れてしまう場合がある。ここで、壊れにくいルアーを提供するためには、貼りあわせ面を有さないルアーを製造する必要がある。このような貼りあわせ面を有さないようなルアーの製造方法として、例えば、合成樹脂素材を型に注入して固めて一体成型する方法が考えられる。
【０００４】
しかし、合成樹脂素材を型に注入してルアーを一体成型する場合でも、ルアーでは、前後方向及び左右方向のバランスをとるために、その素材中の正確な位置に錘を配置する必要がある。錘のこのルアー内部に配置される錘の位置が正確に定まらなければ、ルアーは正確な方向にキャスティングできず、また、しなやかな泳動姿勢をとり得ない。
【０００５】
本発明の課題は、壊れにくくかつ全体のバランスに優れたルアー及びその製造方法を提供することにある。
【０００６】
【課題を解決するための手段】
発明１にかかるルアーの製造方法は、以下の工程を含む。
◎左右から中央に向かって突出し所定の位置に錘を挟持可能な１対の挟持柱を有するルアー本体成型用金型に錘を挟持させる工程。
◎金型に素材を注入してルアー本体をインサート成形する工程。
◎インサート成型により製造されたルアー本体の挟持柱跡に挿入部材を挿入し固定する工程。
【０００７】
この場合には、１対の挟持柱に錘を挟持させて錘を所定の位置に配置した状態で、ルアー本体成型用金型に素材を注入するので、所望の位置に錘を配置してルアー本体を一体成型できる。この一体成型されたルアーは貼りあわせ面を有さず、キャスティング時に障害物にぶつかっても壊れにくい。また、所定の位置に錘を配置できるので、ルアー全体のバランスも良好に調整できる。
【０００８】
また、金型より取り出したルアーに形成されている挟持柱跡には、挿入部材を挿入することができ、ルアーの左右のバランスをとりつつ装飾物を取り付けることが可能である。
発明２にかかるルアーの製造方法は、発明１の方法であって、ルアー本体は魚に似せて形成され、挟持柱はルアー本体の目に該当する箇所に配置されている。
【０００９】
この場合には、金型より取り出したルアーに形成されている挟持柱跡がルアー本体の目に該当する部分であり、ここに魚の目に似せた挿入部材を挿入する。この結果、より外形を魚に似せることができ、魚に強くアピールできる。
発明３にかかるルアーの製造方法は、発明１または２の方法であって、１対の挟持柱の先端面はそれぞれ凹凸部が形成されている。
【００１０】
この場合には、凹凸部が錘を挟持する際に生じる錘のずれを防止する。また、１対の挟持柱は、一定の力を加えながら錘を挟持するので、挟持時に錘の表面に凹凸を印圧する。この錘に印圧された凹凸は挿入部材を挿入する際、挿入部材と錘との接着面に該当するので、挿入部材の安定性がより向上することになる。
発明４にかかるルアーの製造方法は、発明１〜３のいずれかの方法であって、錘に連結されたワイヤ部材をさらに有し、ルアー本体成型用金型に錘を挟持させる工程はワイヤ部材の一部がルアー本体より外部にはみ出るようにワイヤ部材を配置する。
【００１１】
この場合には、錘とともにルアー本体を形成する素材内に配置されるワイヤ部材が、ルアーの強度を向上させる。また、ルアー本体の外部にはみ出るように配置されたワイヤ部材の一部が、ライン（釣糸），フック（釣針）等を連結する連結部となる。この結果、別途連結部材を取り付ける必要がなくなり製造が容易になる。また、ワイヤ部材の一部が形成する連結部は引っ張り強度に優れているので、ルアーの耐久性もさらに向上する。
【００１２】
発明５にかかるルアーは、魚釣りに用いるルアーであって、魚形状で目の付近に左右から中央に向かって形成された孔を有する一体成型されたルアー本体と、孔から表面の一部が露出するようにルアー本体の頭部付近内部に埋め込まれた錘と、孔に左右から挿入された１対の挿入部材とを備えている。
【００１３】
【発明の実施の形態】
［第１実施形態］
以下、本発明の第１実施形態について、図面を参照しつつ説明する。
（構成の概要）
本発明の第１実施形態を採用したルアーは、図１に示すように、プラスチック製のルアー本体１と、ルアー本体１の頭部上面に連結され釣糸を係止可能な釣糸係止部２と、ルアー本体１の腹部及び尾部付近にそれぞれ設けられたアイ（止め輪）３，４とを有している。そして、アイ３，４にはそれぞれスプリットリング５，６を介してフック７，８が連結されている。また、図２に示すように、ルアー本体１の頭部両側面の目の付近には左右から中央に向かって１対の孔１１，１２が形成されている。そして、ルアー本体１の頭部付近内部には、孔１１，１２から表面の一部が露出するように錘１０が挿入されている。さらに、この孔１１，１２にはそれぞれ挿入部材２０が挿入されている。
【００１４】
ルアー本体１は、外形を魚に似せて形成された中実部材である。表面に魚に似せて様々な模様が施されている。後に詳しく説明するように、このルアー本体１は、金型にプラスチィック素材を注入し固化して一体成形した部材である。
錘１０は金属製の楕円球状部材である。例えば、鉛，タングステン，またはこれらの合金等から製造されている。そして、ルアー本体１の成型時に所定の位置に配置されインサートされたものである。また、挿入部材２０は、プラッスチックまたは金属製の部材であり、魚の目に似せて加工されている。そして、孔１１，１２にそれぞれ挿入され、接着剤等で接着され固定されている。
【００１５】
（製造方法）
このルアーは、以下のように製造される。
図３（ａ）に示すように、１対の金型３０ａ，３０ｂを用意する。この金型３０ａ，３０ｂは、ルアー本体１の外形に合わせて加工された左右対称のものである。それぞれの金型３１ａ，３０ｂは、ルアー本体１の目に該当する部分に、中央に向かって突出し錘１０を挟持可能な１対の挟持柱３１，３２を有している。また、この挟持柱３１，３２の先端面は凹凸が形成されており凹凸面３１ａ，３２ａとなっている。この１対の挟持柱３１，３２で錘１０を所定の位置に挟み込んで固定しながら、１対の金型３０ａ，３０ｂを開口側で貼りあわせる。
【００１６】
続いて、図３（ｂ）に示すように、貼りあわせた金型３０ａ，３０ｂ内に、ルアー本体１を形成する流体状のプラスチック素材Ｌを注入する。プラスチック素材Ｌは、例えば、熱可塑性プラスチックであるＡＢＳ，ポリカーボネート等を用いることができる。さらに、ルアー本体１を形成する素材Ｌとしては、ウレタン樹脂やＡＢＳ樹脂等を発泡させたものを用いてもよい。
【００１７】
その後、プラスチック素材Ｌを加熱固化し、図３（ｃ）に示すように、金型３０ａ，３０ｂから取り外す。この際、挟持柱３１，３２の跡に孔１１，１２が形成されることになる。孔１１，１２から露出している錘１０の表面は、挟持柱３１，３２に挟持されたときに、凹凸面３１ａ，３２ｂによって凹凸が印圧され、印圧面１０ａが形成されている。この印圧面１０ａ及び孔１１，１２の内壁面に接着剤を塗布し、魚の目に似せて形成した１対の挿入部材２０を孔１１，１２にそれぞれ挿入して固定する。
【００１８】
このルアーでは、１対の挟持柱３１，３２に錘１０を挟持させて錘１０を所定の位置に配置した状態で、ルアー本体１を一体成型している。この一体成型されたルアー本体１は貼りあわせ面を有さず、キャスティング時に障害物にぶつかっても壊れにくい。また、所定の位置に錘１０を正確に配置できるので、ルアー全体のバランスも良好である。また、金型３０ａ，３０ｂより取り出したルアーに形成されている孔１１，１２には、挿入部材２０を挿入することができ、ルアーの左右のバランスをとりつつ装飾物を取り付けることができる。さらに、錘１０を挟持柱３１，３２が挟持する際に、錘１０の表面に凹凸を印圧し印圧面１０ａを形成するので、挿入部材２０の接着安定性が向上する。
【００１９】
［第２実施形態］
以下、本発明の第２実施形態について、図面を参照しつつ説明する。
本発明の第２実施形態を採用したルアーは、第１実施形態と同様に、プラスチック製のルアー本体１と、ルアー本体１の頭部上面に連結され釣糸を係止可能な釣糸係止部２と、ルアー本体１の腹部及び尾部付近にそれぞれ設けられたアイ（止め輪）３，４とを有している。また、ルアー本体１の頭部両側面の目の付近には左右から中央に向かって１対の孔１１，１２が形成されている。そして、ルアー本体１の頭部付近内部には、孔１１，１２から表面の一部が露出するように錘１０が挿入されている。さらに、この孔１１，１２にはそれぞれ挿入部材２０が挿入されている。
【００２０】
また、図４に示すように、ルアー本体１の内部には、錘１０に連結された３つのワイヤ部材４０〜４２が配置されている。ワイヤ部材４０は、両端が錘１０に連結されている。そして、一部がルアー本体１の頭部上方から飛び出した状態で折り返されており、この折り返し部分４０ａが釣糸を係止可能な釣糸係止部になっている。また、ワイヤ部材４１，４２もそれぞれ両端が錘１０に連結されており、一部がそれぞれルアー本体１の腹部，尾部から飛び出した状態で折り返されている。そして、この折り返し部分がフックを連結可能な連結部４１ａ，４２ａとなっている。
【００２１】
この本発明の第２実施形態を採用したルアーも、第１実施形態と同様に製造される。具体的には、挟持柱３１，３２によってワイヤ部材４０〜４２が連結された錘１０を所定の位置に挟持しつつ、金型３０ａ，３０ｂ内に収納する。この際、ワイヤ部材４０〜４２の折り返し部４０ａ〜４２ａがルアー本体１から飛び出すようにする。その後、プラスチック素材Ｌを金型３０ａ，３０ｂ内に注入し、加熱固化してこのルアーを製造する。
【００２２】
このルアーは、第１実施形態と同様の作用効果を奏する。また、ルアー本体１内にワイヤ部材４０〜４２が配置されているので、ルアーの強度が向上する。さらに、釣糸係止部やフックを連結する連結部がワイヤ部材４０〜４２の一部であり、釣糸やフックの引っ張り強度に優れ、耐久性がさらに向上する。
［他の実施形態］
（ａ）挿入部材２０を孔１１，１２に挿入する代わりに、魚の目に似せて印刷されたシール部材を孔１１，１２を塞ぐようにルアー本体１に貼り付けてもよい。
（ｂ）錘１０を配置する位置は、ルアー本体１の頭部付近に限定されるものではない。例えば、腹部や尾部付近に錘１０を配置するべく、挟持柱３１，３２を所定の位置に形成した金型３０ａ，３０ｂを用意し、これを用いてルアーを製造してもよい。
【００２３】
【発明の効果】
本発明にかかるルアーは、ルアー本体が貼りあわせ面を有していないので、障害物等にぶつかっても壊れにくい。また、所定の位置に正確に錘を配置できるので、全体のバランスに優れる。
【図面の簡単な説明】
【図１】本発明の第１実施形態を採用したルアーの全体図。
【図２】本発明の第１実施形態を採用したルアーの断面図。
【図３】本発明の第１実施形態にかかるルアーの製造過程を示す図。
【図４】本発明の第２実施形態を採用したルアーを示す図。
【符号の説明】
１  ルアー本体
１０  錘
１１，１２  孔
２０  挿入部材
３０ａ，３０ｂ  金型
３１，３２  挟持柱
４０〜４２  ワイヤ部材
【図１】
0003747423.tif 000002
【図２】
0003747423.tif 000003
【図３】
0003747423.tif 000004
【図４】
0003747423.tif 000005